(57)【要約】【課題】高級感、吸湿性、耐久性及び発熱効果がある一方で、その取り付けの前後での違和感がほとんどない靴の中敷を提供する。【解決手段】この靴の中敷１は、皮革製の中敷本体２上にセラミックス３，３，・・・でスクリーン印刷したものであり、例えば皮革は、牛のヌメ革を分割した表革又は床革であり、セラミックス３，３，・・・は、有用微生物（Ｅｆｆｅｃｔｉｖｅ  Ｍｉｃｒｏｏｒｇａｎｉｓｕｍｓ）を含むものである結果、高級感、吸湿性、耐久性及び発熱効果がある一方で、その取り付けの前後での違和感がほとんどなくなる。【選択図】図１
2019092873.tif 000002
【特許請求の範囲】
【請求項１】
靴の中敷であって、
皮革製の中敷本体上にセラミックスでスクリーン印刷したものであることを特徴とする靴の中敷。
【請求項２】
前記皮革は、牛のヌメ革を分割した表革又は床革であることを特徴とする請求項１記載の靴の中敷。
【請求項３】
前記セラミックスは、有用微生物を含むものであることを特徴とする請求項１又は２記載の靴の中敷。
【発明の詳細な説明】
【技術分野】
【０００１】
本発明は、靴の中敷に関する。
【背景技術】
【０００２】
靴の中敷は、サイズが大きい靴を履けるようにしたり、ストッキングが靴底ですべりにくくし、歩くときに痛くならないようにして快適さを求めたり、蒸れないようにするのが主な目的である。そのような靴の中敷の材料として種々のものが開発されている。
【０００３】
例えば特許文献１では、図４に示すように、上部の布地５１と下部の布地５２との間にコルク層５３などからなる天然材料製弾性体を介在させて三層構造体にし、その三層構造体の上面部分にその内部に遠赤外線放射セラミックス体からなる粉体粒体等の微小体を含んだ突起５４，５４，・・・を所望間隔をあけて配設してなる弾発平面構造体５０が開示されている。
【０００４】
そして、この弾発平面構造体５０を靴の中敷に使用すると、コルク層５３などからなる天然材料製弾性体の中間層により足の裏側への弾発力が有効にきいて足の部分の血管内の血行を促進させうるとともに、コルク層５３の上面部分に配設された遠赤外線放射体（セラミックス）からなる粉体或いは粒体などの微小体を含んだ粒状突起５４，５４，・・・により足の裏の部分への局部的な物理的刺激および遠赤外線放射による刺激との相乗効果を有する、と記載されている。
【０００５】
また、特許文献２では、少なくとも中敷本体の一部に、高分子化合物を主成分として、放射線を放出しており、マイナスイオンを発生させることができる添加剤（セラミックスを含む。）を３重量％以上含有されている部分が設けられ、中敷本体の表面に、布材からなる表面層を設けている靴の中敷が開示されている。
【０００６】
これにより、靴の中敷から放射線を放出させることができ、その放射線が常に空気中の水分子に作用することにより、靴を履いて足裏から熱を与えたり、踏み付けて圧力を加えるなどの物理的作用を与えなくても、前記靴の中敷が殺菌効果や防臭効果等に適した数のマイナスイオンを常時発生させることができるようになる、と記載されている。
【０００７】
また、特許文献３では、表面にセラミックスがコーティングされた紙製のライナーと、該ライナーの裏面に積層された波形加工紙とを有することを特徴とする靴の中敷が開示されている。
【０００８】
この中敷を使用すれば、靴を履いたとき、ライナーの表面にコーティングされたセラミックスが発する遠赤外線によって足が保温されることと、該ライナーの裏面に積層された波形加工紙が通気性を有するため、冬は暖かく、夏は涼しい感触を得ることができる。さらに、セラミックスは、抗菌性を有するため、雑菌が繁殖しない。それ故、悪臭の発生をもとから絶つことができるので、靴を長時間履いたとしても、悪臭が発生しない。さらにまた、ライナーおよび波形加工紙のいずれもが紙製であるため、汗を吸う能力を備え、かつ、安価に製造できるなど、と記載されている。
【発明の概要】
【発明が解決しようとする課題】
【０００９】
しかし、特許文献１，２の技術では、足裏と中敷の表面との間に布地が介在し、特許文献３の技術では、足裏に紙製のライナーが直接接触するから、いずれも耐久性が不足するものと推察される。
【００１０】
また、セラミックスによる発熱効果については諸説があるが、セラミックスによる発熱効果があるとすると、夏場にはその発熱効果が不要となるため中敷を取り外しておき、冬場にはその発熱作用が必要となるため中敷を取り付けることになる。
【００１１】
その場合、特許文献１の三層構造体のように厚いものとすると、その取り付けの前後で違和感があり、甚だしい場合には靴サイズを変えざるをえなくなる。
【００１２】
本発明は、このような事情に鑑みてなされたもので、高級感、耐久性及び発熱効果がある一方で、その取り付けの前後での違和感がほとんどない靴の中敷を提供することを目的とする。
【課題を解決するための手段】
【００１３】
ところで、皮革は、蒸れにくく、汗を吸い取りやすく、装着したときの快適さがあるため、靴の素材として普通に使用されているが、靴の中敷の素材としてはほとんど使用されていない。その理由は、皮革の表面は平滑なものであって、ストッキングの滑り止めの役目を満たさないと考えられていたことに加え、高級感があり、実際に値が張ることである。そこで、本発明は、靴の中敷であって、皮革製の中敷本体上にセラミックスでスクリーン印刷したものであることを特徴とするものである。
【００１４】
本発明によれば、皮革製の中敷本体上にセラミックスでスクリーン印刷したものであるので、高級感、吸湿性、耐久性及び発熱効果がある一方で、その取り付けの前後での違和感がほとんどない靴の中敷を提供することができる。
【００１５】
また、中敷本体上にスクリーン印刷したセラミックスは、わずかな段差を生じることから、滑り止め効果があるとともに、ツボ刺激効果がある。
【００１６】
また、合成皮革の靴であっても、その中敷を皮革製としておけば、革靴と同等の履き心地を提供できるようになるから、これまでハードルが高いと思われていた、価格の問題についても解決できる。
【００１７】
請求項２記載の発明のように、前記皮革は、牛のヌメ革を分割した表革又は床革であることが好ましい。
【００１８】
請求項２記載の発明によれば、前記皮革は、牛のヌメ革を分割した表革又は床革であるので、牛のヌメ革を使用することにより、さらなる高級感がかもしだされる一方で、中敷の厚みをより薄くして、靴内の中敷を違和感なく着脱できるとともに、製造コストを抑えることができる。
【００１９】
請求項３記載の発明のように、前記セラミックスは、有用微生物を含むものであることが好ましい。
【００２０】
請求項３記載の発明によれば、前記セラミックスは、有用微生物を含むものであるので、発熱効果が保障される。
【発明の効果】
【００２１】
本発明によれば、皮革製の中敷本体上にセラミックスでスクリーン印刷したものであるので、高級感、吸湿性、耐久性及び発熱効果がある一方で、その取り付けの前後での違和感がほとんどない靴の中敷を提供することができる。
【００２２】
また、中敷本体上にスクリーン印刷したセラミックスは、わずかな段差を生じることから、滑り止め効果があるとともに、ツボ刺激効果がある。
【００２３】
また、合成皮革の靴であっても、その中敷を皮革製としておけば、革靴と同等の履き心地を提供できるようになるから、これまでハードルが高いと思われていた、価格の問題についても解決できる。
【図面の簡単な説明】
【００２４】
【図１】本発明の一実施形態に係る靴の中敷の概念図であって、（ａ）は全体構成図、（ｂ）は（ａ）の部分断面図である。
【図２】本実施形態の試験結果１）を示す説明図である。
【図３】本実施形態の試験結果２）を示す説明図である。
【図４】従来の靴の中敷の一例における部分断面図である。
【発明を実施するための形態】
【００２５】
図１は本発明の一実施形態に係る靴の中敷の概念図であって、（ａ）は全体構成図、（ｂ）は（ａ）の部分断面図である。図１（ａ）（ｂ）に示すように、本実施形態に係る靴の中敷１は、皮革製の中敷本体２上にセラミックス３，３，・・・でスクリーン印刷したものである。なお、図１（ａ）の中敷本体２は、男性用の靴の左足側に取り付けるものであり、右足側に取り付けるものは左右対称形に形成される。
【００２６】
中敷本体２の材料としては、牛皮にタンニンなめしを施して淡色に仕上げた、２ｍｍ程度の厚みを有するヌメ革を使用する。かかるヌメ革を採用したのは、クロムなめしを採用した場合に比べて、吸湿性にすぐれており、熱に強く、引き裂き強度が大きいからである。しかし、ヌメ革は最高級品であり、そのまま使用したのでは製造コストが高くなる。そこで、このヌメ革を厚み方向で二分割することにより、それぞれ１ｍｍ程度の厚みを有する表革と床革とを得ることとする。その場合、床革は表革よりも安価に設定するとよい。
【００２７】
セラミックス３，３，・・・の素材は、粘土のような土に有用微生物（Ｅｆｆｅｃｔｉｖｅ  Ｍｉｃｒｏｏｒｇａｎｉｓｕｍｓ）を入れ、調整して固めて、粉砕してパウダー状にしたものである。ここでは、セラミックス３，３，・・・は、有用微生物の担持体として機能しており、有用微生物との相乗作用により、その加熱効果が期待される。
【００２８】
そして、セラミックス３，３，・・・の素材を、有色インクに溶かして、複数の星形を前後左右にほぼ等間隔に配置させた版材を通過させることにより、中敷本体２の表面にそれぞれ星形に形成したセラミックス３，３，・・・を前後左右にほぼ等間隔に突出させることができる。
【００２９】
ここで、本実施形態に係る靴の中敷１の加熱・保温性能評価のためのサーモグラフィー試験を行った。図２、図３は、そのサーモグラフィー試験結果を示す。
【００３０】
本来、サーモグラフィー試験では、測定表面の温度上昇に応じて、青色段階、黄色段階、赤色段階と変化することにより、その温度分布がわかるのであるが、ここでは特許出願に係る規定に従い、フルカラー写真をグレースケール化しているのでわかりづらい。そこで、かかる点を配慮しつつ、本中敷１の試験結果を説明することとした。
【００３１】
図２に示すように、（１）は加工（品）革（厚み：１．２ｍｍ）であり、牛のヌメ革を分割した表革又は床革にセラミックスによるスクリーン印刷を施してその表面に複数の星形を突出させたものである。（２）は通常革（厚み：１．４ｍｍ）であり、牛のヌメ革を分割した表革又は床革に着色したものである。
【００３２】
図３の上段は、加熱試験結果である。ここでは、１分以上加熱を行い、革表面の熱状態を観察したところ、（１）加工革の表面は、左肩に示す最高温度の３９．６℃にまで達して、赤色段階に変化しているが、（２）通常革の表面はその前段階の黄色段階にとどまっている。これより、（１）加工革は（２）通常革に比べて、非常に温まりやすいことがわかった。
【００３３】
図３の中段は、保温試験結果である。ここでは、加熱試験してから１０秒経過した後、テーブル上にてどれくらい冷えるかの試験したところ、（１）加工革の表面は、左肩に示す温度の３３．４℃にまで下がって、青色段階に戻り、（２）通常革の表面も青色段階に戻っている。これより、（１）加工革は（２）通常革と比べて、保温効果があるとはいえない。
【００３４】
図３の下段は、摩擦試験である。ここでは、靴を履いた状態を模擬した、手もみ後の状態を確認したところ、（１）加工革の表面加工している部分は、赤色段階になっている。これは、（１）加工革の表面加工している部分の表面が凹凸であるため、そこで発熱しているものと考えられる。なお、図示はしていないが、（２）通常革の表面は有意な凹凸がないため、発熱せずに、左肩の温度の３１．１℃の青色段階のままであると考えられる。また、中段で説明したとおり、（１）加工革は、（２）通常革と比べて、保温効果があるとはいえない。
【００３５】
今回の試験結果から、（１）加工革は、（２）通常革より発熱しやすいと考える。しかし、（１）加工革の保温効果は低く、（２）通常革との有意差は見られなかった。
【００３６】
以上説明したように、本実施形態によれば、皮革製の中敷本体２上にセラミックス３，３、・・・でスクリーン印刷したものであるので、高級感、吸湿性、耐久性及び発熱効果がある一方で、その取り付けの前後での違和感がほとんどない靴の中敷を提供することができる。
【００３７】
また、中敷本体２上にスクリーン印刷したセラミックス３，３，・・・は、わずかな段差を生じることから、滑り止め効果があるとともに、ツボ刺激効果がある。
【００３８】
また、合成皮革の靴であっても、その中敷を皮革製としておけば、革靴と同等の履き心地を提供できるようになるから、これまでハードルが高いと思われていた、価格の問題についても解決できる。
【００３９】
また、皮革は、牛のヌメ革を分割した表革又は床革を使用することとしたので、中敷本体２の厚みをより薄くして、靴内の中敷１を違和感なく着脱できるとともに、製造コストを抑えることができる。
【００４０】
また、セラミックス３，３，・・・の発熱効果については、これまで種々の見解があるが、ここでは、有用微生物を含むもので実際に行った、上記サーモグラフィー試験の結果より、発熱効果が保障されるものと考える。
【００４１】
なお、上記実施形態では、牛のヌメ革を使用して高級感をかもしだしているが、より安価な馬、豚等の皮革を使用してもよい。
【００４２】
また、上記実施形態では、靴の中敷１の中敷本体２の模様を星形として複数個千鳥状に配置しているが、その星形を複数個行列状に配置してもよい。また、丸形、菱形、その他の形状からなる模様を単独配置してもよいし、あるいは、複数種類の模様を適宜組み合わせて配置してもよい。
【００４３】
また、上記実施形態では、男性用の靴の中敷について説明しているが、女性用の靴の中敷や子供用の靴の中敷、さらには登山靴等の特殊目的の靴の中敷についても同様である。
【００４４】
また、上記実施形態では、靴の中敷１について説明しているが、本発明の応用範囲はさらに広く、例えばソファーのクッション材などで、リバーシブルとして採用しておき、夏場にはひっくり返して使用することとしてもよい。
【符号の説明】
【００４５】
１  靴の中敷
２  中敷本体
３  セラミックス
【先行技術文献】
【特許文献】
【００４６】
【特許文献１】特開平５−７５０３号公報
【特許文献２】実用新案登録第３０８５６６７号公報
【特許文献３】特開２００１−２８６３０４号公報
【図１】
2019092873.tif 000003
【図２】
2019092873.tif 000004
【図３】
2019092873.tif 000005
【図４】
2019092873.tif 000006